(57)【要約】【課題】固定力及び結束時の作業性に優れたワイヤハーネスの外装部品を提供する。【解決手段】ワイヤハーネスの外装部品は、結束バンド１５によってワイヤハーネス１４を固定するためのバンド結束部５２ａを備える。このバンド結束部５２ａは、外面側の形状が略Ｌ字形断面のＬ字部３４と、前記結束バンド１５のバンド部１７を挿通保持するための２つの挿通部３１，３２と、を備える。第１の挿通部３１は、前記バンド部１７のバックル部１６近傍箇所を挿通保持するように構成されている。２つの挿通部３１，３２は、Ｌ字部３４の角の近傍に配置されるとともに、前記角を挟んで両側に配置されている。第１の挿通部３１に対するバンド部１７の挿通方向と、第２の挿通部３２に対するバンド部１７の挿通方向と、が略直角に交わっている。【選択図】図３
2009131055.tif 000002
【特許請求の範囲】
【請求項１】
バンド結束部を備えたワイヤハーネスの外装部品であって、
前記バンド結束部近傍における長手方向に直交する断面において、外面側の形状が略Ｌ字形であるＬ字部と、
バンド部の一端にバックル部を備える結束バンドにおける前記バンド部の前記バックル部近傍箇所を挿通保持するために前記Ｌ字部に備えられる第１の挿通部と、
前記バンド部を挿通保持するために前記Ｌ字部に備えられる第２の挿通部と、
を備えることを特徴とするワイヤハーネスの外装部品。
【請求項２】
請求項１に記載のワイヤハーネスの外装部品であって、
前記第１の挿通部と前記第２の挿通部はそれぞれ前記Ｌ字部の外側の角の近傍に配置されるとともに前記角を挟んで両側に配置され、
前記第１の挿通部に対する前記バンド部の挿通方向と、前記第２の挿通部に対する前記バンド部の挿通方向と、が略直角に交わることを特徴とするワイヤハーネスの外装部品。
【請求項３】
請求項１又は２に記載のワイヤハーネスの外装部品であって、
前記第１の挿通部に前記バンド部を挿通し、当該第１の挿通部の端面に前記バックル部が接触した状態で、前記バックル部が備えるロック孔の位置が前記第２の挿通部の挿通孔と略一致することを特徴とするワイヤハーネスの外装部品。
【請求項４】
請求項１から３までの何れか一項に記載のワイヤハーネスの外装部品であって、
前記Ｌ字部の外面は、略直角に接する第１面及び第２面を含み、
前記第１の挿通部は前記第１面上に配置され、
前記第２の挿通部は前記第２面上に配置され、
前記第１の挿通部は、前記バックル部に接触可能な第３面を含み、
前記第２の挿通部は、前記バックル部に接触可能な第４面を含み、
前記第１面と前記第４面は略面一であることを特徴とするワイヤハーネスの外装部品。
【請求項５】
請求項１から４までの何れか一項に記載のワイヤハーネスの外装部品であって、
前記Ｌ字部の外面は、略直角に接する第１面及び第２面を含み、
前記第１の挿通部は前記第１面上に配置され、
前記第２の挿通部は前記第２面上に配置され、
前記第１の挿通部は、前記バックル部に接触可能な第３面を含み、
前記第３面は前記第２面に対しオフセットして配置されており、
このオフセット距離ＯＦは、
前記第３面に当接する前記バックル部の外面から当該バックル部が備えるロック孔の縁までの距離をＢＢ、
前記ロック孔に差し込まれる前記バンド部の先端の厚みをＢＡ、
前記バンド部の先端の厚み方向における前記第２の挿通部の挿通孔の幅をＳＨ、
前記バンド部の先端の厚み方向における前記ロック孔の幅をＢＨとしたときに、
ＢＢ＋ＢＡ−ＳＨ≦ＯＦ≦ＢＢ＋ＢＨ−ＢＡ
の関係を満たすことを特徴とするワイヤハーネスの外装部品。
【請求項６】
請求項１から５までの何れか一項に記載のワイヤハーネスの外装部品であって、
前記第１の挿通部又は前記第２の挿通部の近傍にガイド壁を備えたことを特徴とするワイヤハーネスの外装部品。
【請求項７】
請求項１から６までの何れか一項に記載のワイヤハーネスの外装部品と、
ワイヤハーネスと、
前記ワイヤハーネスの外装部品及び前記ワイヤハーネスを一緒に巻いて固定する前記結束バンドと、
を含むことを特徴とするワイヤハーネスアッセンブリ。
【発明の詳細な説明】
【技術分野】
【０００１】
本発明は、ワイヤハーネスを保護するための外装部品及びそれを備えるワイヤハーネスアッセンブリに関する。
【背景技術】
【０００２】
自動車用のワイヤハーネスを車体のパネルに固定する方法として、樹脂製の結束バンドを用いる方法がある。この結束バンドは、バンド部の一端にバックル部を備え、このバックル部にロック孔を形成した構成になっている。ロック孔の内部には爪が設けられており、バンド部をロック孔に差し込むと、当該バンド部の表面に形成された凹凸に前記爪が係合することにより、バンド部がロックされる構造になっている。
【０００３】
例えば特許文献１に示すように、前記結束バンドを、アンカー部と挿通部を持つ樹脂部品の挿通部に通し、ワイヤハーネスを巻いて固定することが従来から行われている。この特許文献１の構成に対応する比較例について、本願の図６を参照して説明する。即ち、この比較例のワイヤハーネス外装部品１０は、外装部品本体の適宜の位置に挿通部１１が設けられ、この挿通部１１に挿通孔１２を形成した構成になっている。ワイヤハーネス１４を固定するための結束バンド１５は、バックル部１６と、このバックル部１６から延出される細長いバンド部１７を備えている。このバックル部１６にはロック孔１８が形成されている。
【特許文献１】特開平７−９５７１４号公報
【発明の開示】
【発明が解決しようとする課題】
【０００４】
図６の比較例では、結束対象となるワイヤハーネス１４が太い場合、あるいはワイヤハーネス１４の本数が多い場合には、結束バンド１５のバンド部１７をバックル部１６のロック孔１８に挿入する際に、当該バックル部１６の直前で大きく曲げ、曲げ部７０を形成する必要がある。
【０００５】
そのため、このような場合にはバックル部１６のロック孔１８にバンド部１７を真っ直ぐ挿入することが難しく、作業性の点で課題があった。
【０００６】
また、バンド部１７がバックル部１６の直前で曲げ部７０を形成しているために、強い締め力でワイヤハーネス１４を固定することが困難で、結束バンド１５の緩みによるガタ等の原因となっていた。特に、ワイヤハーネス１４を保護したり形状を規制したりするために複雑な形状の外装部品を用いる場合、ワイヤハーネス１４を特定の姿勢で確実に保持するために挿通部１１付近での結束バンド１５のガタつきを極力小さくすることが求められており、この点で改善の余地が残されていた。
【０００７】
本発明は以上の事情に鑑みたものであり、その目的は、ワイヤハーネスを作業性良く安定して固定することができるワイヤハーネスの外装部品を提供することにある。
【課題を解決するための手段及び効果】
【０００８】
本発明の解決しようとする課題は以上の如くであり、次にこの課題を解決するための手段とその効果を説明する。
【０００９】
本発明の観点によれば、以下の構成のワイヤハーネスの外装部品が提供される。即ち、このワイヤハーネスの外装部品は、当該外装部品が備えるバンド結束部近傍における長手方向に直交する断面において外面側の形状が略Ｌ字形であるＬ字部と、バンド部の一端にバックル部を備える結束バンドにおける前記バンド部の前記バックル部近傍箇所を挿通保持するために前記Ｌ字部に備えられる第１の挿通部と、前記バンド部を挿通保持するために前記Ｌ字部に備えられる第２の挿通部と、を備える。
【００１０】
これにより、バンド部のバックル部近傍箇所を第１の挿通部で保持しつつ、第２の挿通部でバンド部の先端を受け入れることができる。従って、バックル部及びバンド部の位置を安定させることができ、結束時の作業性が向上する。
【００１１】
前記のワイヤハーネスの外装部品においては、以下の構成とすることが好ましい。即ち、前記第１の挿通部と前記第２の挿通部は、それぞれ前記Ｌ字部の外側の角の近傍に配置されるとともに、前記角を挟んで両側に配置される。前記第１の挿通部に対する前記バンド部の挿通方向と、前記第２の挿通部に対する前記バンド部の挿通方向と、が略直角に交わる。
【００１２】
これにより、前記第１の挿通部によって保持された結束バンドのバックル部（ロック孔）に対して前記結束バンドのバンド部を挿通する際、前記第２の挿通部によりガイドさせながら真っ直ぐに挿入することができるので、作業性が向上する。また、バックル部をＬ字部の角の外側に位置させて結束バンドを締め付けることにより、ワイヤハーネスをＬ字部の角の内側に向けて押し付けて固定することができる。従って、ワイヤハーネスの外径や本数にかかわらず安定して固定でき、ガタの防止と強い固定力を実現できる。
【００１３】
前記のワイヤハーネスの外装部品においては、前記第１の挿通部に前記バンド部を挿通し、当該第１の挿通部の端面に前記バックル部が接触した状態で、前記バックル部が備えるロック孔の位置が前記第２の挿通部の挿通孔と略一致することが好ましい。
【００１４】
これによって、特定のサイズのバックル部を備える結束バンドを用いる場合には、結束バンドを第１の挿通部に限度まで差し込むと、第２の挿通部がバックル部のロック孔へのガイドとなり、結束時の作業性がさらに向上する。
【００１５】
前記のワイヤハーネスの外装部品においては、以下の構成にすることが好ましい。即ち、前記Ｌ字部の外面は、略直角に接する第１面及び第２面を含む。前記第１の挿通部は前記第１面上に配置され、前記第２の挿通部は前記第２面上に配置される。前記第１の挿通部は、前記バックル部に接触可能な第３面を含む。前記第２の挿通部は、前記バックル部に接触可能な第４面を含む。そして、前記第１面と前記第４面は略面一である。
【００１６】
これによって、第１面と略面一に配置された第４面により、バックル部の姿勢が傾かないように規制できる。これにより、バックル部を適正な姿勢に保持することができるので、結束時の作業性を更に向上させることができる。
【００１７】
前記のワイヤハーネスの外装部品においては、以下の構成にすることが好ましい。即ち、前記Ｌ字部の外面は、略直角に接する第１面及び第２面を含む。前記第１の挿通部は前記第１面上に配置され、前記第２の挿通部は前記第２面上に配置される。前記第１の挿通部は、前記バックル部に接触可能な第３面を含む。前記第３面は前記第２面に対しオフセットして配置されている。このオフセット距離ＯＦが、前記バンド部の厚さをＢＡ、前記バックル部が備えるロック孔のバンド側壁厚さをＢＢ、前記ロック孔の縦幅をＢＨ、前記第２の挿通部の挿通孔縦幅をＳＨとしたときに、ＢＢ＋ＢＡ−ＳＨ≦ＯＦ≦ＢＢ＋ＢＨ−ＢＡの関係を満たす。
【００１８】
これにより、所定のバックル部サイズの結束バンドを用いることで、前記ロック孔の位置とバンド部とが自然な位置関係で位置決めされ、結束時の作業性がさらに向上する。
【００１９】
前記のワイヤハーネスの外装部品においては、前記第１の挿通部又は前記第２の挿通部の近傍にガイド壁を備えることが好ましい。
【００２０】
これにより、ガイド壁を挿通ガイドとして用いることにより、挿入作業がさらにし易くなる。また、結束バンドがハーネスの軸に対して斜めに巻かれてしまうことを防ぐことができる。
【００２１】
本発明の別の観点によれば、前記のワイヤハーネスの外装部品と、ワイヤハーネスと、前記ワイヤハーネスの外装部品及び前記ワイヤハーネスを一緒に巻いて固定する結束バンドと、を含むワイヤハーネスアッセンブリが提供される。
【発明を実施するための最良の形態】
【００２２】
以下、本発明の好適な実施形態について図面を参照しながら説明する。図１は本発明の一実施形態に係るワイヤハーネスの外装部品５１の外観斜視図である。
【００２３】
図１のワイヤハーネス外装部品５１は、曲がって形成された所定の配索経路に沿ってワイヤハーネス１４を固定するためのものであり、適宜の合成樹脂を用いて射出成形することにより構成されている。
【００２４】
このワイヤハーネス外装部品５１は、ワイヤハーネス１４の外側を覆って保護するとともに、ワイヤハーネス１４の経路（形状）を規制する保護壁を備えている。また、ワイヤハーネス外装部品５１には係合突起（アンカー部）５０が一体形成されており、この係合突起５０によってワイヤハーネス外装部品５１を自動車フレーム等に取付可能に構成されている。
【００２５】
このワイヤハーネス外装部品５１には、当該ワイヤハーネス外装部品５１が構成するワイヤハーネス経路の両端に１箇所ずつ、バンド結束部５２ａ，５２ｂが形成されている。このバンド結束部５２ａ，５２ｂは、図１では図示されていない結束バンドを用いてワイヤハーネス１４を固定するためのものである。
【００２６】
次に、前記バンド結束部５２ａ，５２ｂの詳細な構成について説明する。なお、前述のとおりバンド結束部５２ａ，５２ｂは２つ設けられているが、２つのバンド結束部５２ａ，５２ｂは実質的に同一の構成であるので、以降は代表して一方のみを説明する。図２はバンド結束部５２ａを示す拡大斜視図である。
【００２７】
図２の下側に示すように、前記バンド結束部５２ａは、断面が略Ｌ字形に構成されたＬ字部３４を備えている。このＬ字部３４は、ワイヤハーネス外装部品５１の前記保護壁に接続するように形成されている。
【００２８】
前記Ｌ字部３４の外面は、図に示すように互いに略直角に接する第１面４１と第２面４２によって主に構成されている。第１面４１及び第２面４２はそれぞれ平坦に形成されており、後述の結束バンドを巻付け可能に構成されている。
【００２９】
また、前記Ｌ字部３４の外面には２つの結束バンド挿通部が配置されている。具体的には、前記第１面４１上には第１の挿通部３１が、前記第２面４２上には第２の挿通部３２がそれぞれ設けられている。
【００３０】
第１の挿通部３１と第２の挿通部３２は、それぞれ前記Ｌ字部３４の角の近傍に配置されている。また、２つの挿通部３１，３２は、Ｌ字部３４の角を挟んで両側に配置されている。
【００３１】
第１の挿通部３１には貫通状の挿通孔３９が形成されている。また、第１の挿通部３１においてＬ字部３４の角を向く面には第３面４３が形成されている。同様に、第２の挿通部３２には貫通状の挿通孔４０が形成されている。また、第２の挿通部３２においてＬ字部３４の角を向く面には第４面４４が形成されている。
【００３２】
２つの挿通孔３９，４０は角孔状とされ、互いに直角をなすように形成される。また、前記第３面４３と第４面４４は互いに直角に接続するように形成される。更に、本実施形態では、第４面４４が第１面４１と略面一になるように配置されるとともに、第３面４３は第２面４２に対して所定のオフセット量だけオフセットして配置されている。
【００３３】
また、ガイド壁７１が、第１の挿通部３１及び第２の挿通部３２のそれぞれからバンド設置位置に沿って延びるように形成されている。このガイド壁７１が結束バンドに接する面は、第１の挿通部３１及び第２の挿通部３２の左右の内壁面の何れかと一致し、互いに滑らかに接続するように構成されている。これにより、後述の結束バンドの位置をガイド壁７１によって効果的に規制することができる。
【００３４】
次に図２から図４を参照して、バンド結束部５２ａに結束バンドを通してワイヤハーネス１４を固定する作業について具体的に説明する。図３はバンド結束部５２ａの挿通部３１，３２に結束バンド１５を挿通させたときの様子を示した斜視図、図４は図３のＡ−Ａ断面図である。
【００３５】
本実施形態では、ワイヤハーネス１４を固定するために、前述した従来技術（図６）と同様の構成の結束バンド１５が用いられる。この結束バンド１５は、図２の上側に示すように、ブロック状のバックル部１６と、このバックル部１６から細長く延出される可撓性のバンド部１７と、を合成樹脂により一体形成して構成されている。
【００３６】
前記バックル部１６には、バンド部１７をロックするためのロック孔１８が形成されている。このロック孔１８は、前記バンド部１７の長手方向と垂直な方向（バンド部１７の厚み方向）に形成されている。このロック孔１８の内部には図略の爪が配置されており、前記バンド部１７の先端をロック孔１８に差し込むと、爪がバンド部１７に係合し、抜けないようにロックすることができる。
【００３７】
以上の構成で、ワイヤハーネス外装部品５１をワイヤハーネス１４に固定するには、以下の作業を行う。即ち、最初に、ワイヤハーネス１４の所定の場所にワイヤハーネス外装部品５１を配置し、前記Ｌ字部３４の内側にワイヤハーネス１４が位置するようにセットする。次に、結束バンド１５をバンド結束部５２ａに取り付ける。具体的には、図２の矢印のように、前記バンド部１７を第１の挿通部３１の挿通孔３９へ（前記Ｌ字部３４の角の側から）挿通する。そして、前記結束バンド１５のバンド部１７を、前記バックル部１６が第３面４３に当接するまで（即ち、限度まで）差し込む。
【００３８】
これにより、結束バンド１５のバックル部１６を、所定の位置に位置決めした状態で保持することができる。具体的には、前記バンド部１７のバックル部１６近傍箇所が前記第１の挿通部３１に挿通保持されることにより、前記バックル部１６は、前記第２の挿通部３２の第４面４４に対面するように位置する。また、前記バックル部１６に第３面４３が接触することにより、当該バックル部１６は、前記ロック孔１８が前記第２の挿通部３２の挿通孔４０に一致するように位置決めされる。
【００３９】
更に詳細に説明すると、本実施形態では前述のとおり、第４面４４が第１面４１と略面一になるように第２の挿通部３２が配置されている。従って、第１の挿通部３１に挿通されたバンド部１７が前記挿通孔３９及び第１面４１によって案内されることで、バックル部１６は前記第４面４４に対し接触又は近接することになる。従って、バックル部１６の傾きが第４面４４（及び第３面４３）によって防止され、後でバンド部１７をバックル部１６（ロック孔１８）に差し込む工程がスムーズになる。
【００４０】
次に、バンド部１７を前記Ｌ字部３４の外面及び前記ワイヤハーネス１４の外周に巻き付けるとともに、このバンド部１７の先端を第２の挿通部３２の挿通孔４０に差し込む。このとき、バンド部１７の幅方向の縁部をガイド壁７１に接触させながら滑らせて挿入することにより、バンド部１７の位置及び挿入向きが適切に案内され、挿通孔４０への挿入作業がより容易になる。また、前述のとおり、この挿通孔４０は前記バックル部１６のロック孔１８に一致しているので、挿通孔４０を通過したバンド部１７の先端は直ちにロック孔１８に差し込まれ、抜けないようにロックされる。この状態が図３に示されている。
【００４１】
更に、ガイド壁７１がガイドとしてバンド部１７の位置を規制することによって、バンド部１７が第１面４１、第２面４２から外れ（ワイヤハーネス１４の軸に対して直角でなく斜めに巻かれ）、ワイヤハーネス１４を直接押さえてしまうことを防いでいる。
【００４２】
図３の状態から、ロック孔１８を通過したバンド部１７の先端を手で引っ張ることにより、ワイヤハーネス１４は結束バンド１５によってＬ字部３４の内面に押し付けられ、固定される（図３のＡ−Ａ断面矢視図としての図４を参照）。以上により結束作業が完了し、ワイヤハーネス外装部品５１及びワイヤハーネス１４を結束バンド１５で一緒に巻いた構成のワイヤハーネスアッセンブリが完成する。
【００４３】
以上に示すように、本実施形態のワイヤハーネス外装部品５１はバンド結束部５２ａ，５２ｂを備える。また、このワイヤハーネス外装部品５１は、前記バンド結束部５２ａ，５２ｂの近傍における長手方向に直交する断面において外面側の形状が略Ｌ字形であるＬ字部３４と、このＬ字部３４に備えられる第１の挿通部３１及び第２の挿通部３２と、を備える。前記挿通部３１，３２のそれぞれは、前記結束バンド１５の前記バンド部１７を挿通保持するように構成されている。また、前記第１の挿通部３１が前記バンド部１７を挿通保持する箇所は、前記バックル部１６近傍の部分となっている。
【００４４】
これにより、バンド部１７のバックル部１６近傍箇所を第１の挿通部３１で保持しつつ、第２の挿通部３２でバンド部１７の先端を受け入れることができる。従って、バックル部１６及びバンド部１７の位置を安定させることができ、結束時の作業性が向上する。
【００４５】
また、本実施形態のワイヤハーネス外装部品５１において、第１の挿通部３１と第２の挿通部３２はそれぞれ前記Ｌ字部３４の外側の角の近傍に配置されるとともに、前記角を挟んで両側に配置される。また、第１の挿通部３１に対する前記バンド部１７の挿通方向（挿通孔３９の方向）と、前記第２の挿通部３２に対する前記バンド部１７の挿通方向（挿通孔４０の方向）と、が直角の向きに交わっている。
【００４６】
これにより、結束バンド１５を前記第１の挿通部３１によって保持した状態で、当該結束バンド１５のバックル部１６のロック孔１８に対し、第２の挿通部３２に挿通したバンド部１７を真っ直ぐ差し込むことが容易になる。特に、図３を図６の比較例と比べれば明らかなように、太いワイヤハーネス１４を結束する場合でも、本実施形態ではバックル部１６の直前でバンド部１７を大きく曲げることなく、バックル部１６のロック孔１８に真っ直ぐ挿入することができる。また、バックル部１６がＬ字部３４の角の外側に保持されるので、結束バンド１５を締め付けたときに、ワイヤハーネス１４をしっかりとＬ字部３４の角の内側へ押し付け、ガタの防止と強い固定力を実現できる。
【００４７】
また、本実施形態のワイヤハーネス外装部品５１は、前記第１の挿通部３１に前記バンド部１７を挿通し、当該第１の挿通部３１の端面（第３面４３）に前記バックル部１６が接触した状態で、前記バックル部１６が備えるロック孔１８の位置が前記第２の挿通部３２の挿通孔４０と略一致するように構成している。
【００４８】
これにより、特定のサイズのバックル部１６を有する結束バンド１５を用いる場合には、前記バンド部を第１の挿通部３１に限度まで差し込むと、第２の挿通部３２の挿通孔４０が前記ロック孔１８へのガイドとなる。従って、結束時の作業性が更に向上する。
【００４９】
また、本実施形態において、ワイヤハーネス外装部品５１のＬ字部３４の外面は、略直角に接する第１面４１及び第２面４２を含んでいる。前記第１の挿通部３１は前記第１面４１上に配置されるとともに、前記バックル部１６に接する第３面４３を含む。また、前記第２の挿通部３２は前記第２面４２上に配置されるとともに、前記バックル部１６に接する第４面４４を含むように構成されている。そして、第１面４１と第４面４４は略面一となるように配置されている。
【００５０】
これにより、第１面４１と略面一に配置された第４面４４により、バックル部１６の姿勢が傾かないように規制できる。これにより、バックル部１６を適正な姿勢に保持することができるので、結束時の作業性を更に向上させることができる。
【００５１】
また、本実施形態のワイヤハーネス外装部品５１は、前記第１の挿通部３１及び前記第２の挿通部３２の近傍にガイド壁７１を備えている。
【００５２】
これにより、ガイド壁７１を挿通ガイドとして用いることにより、結束バンド１５の挿入作業が容易になる。また、結束バンド１５がワイヤハーネス１４の軸に対して斜めに巻かれてしまうことを防ぐことができる。
【００５３】
次に、第３面４３と第２面４２との位置関係について説明する。前述のとおり、第３面４３は第２面４２に対して所定の距離だけオフセットして配置される。このオフセット距離は、結束バンド１５のバックル部１６の大きさに応じて決定される。具体的には図４に示すように、前記オフセット距離ＯＦは、結束バンド１５のバンド部１７を第２の挿通部３２の挿通孔４０に挿通させた際、当該バンド部１７がちょうど前記バックル部１６のロック孔１８を通るように決定される。即ち、第２の挿通部３２の挿通孔４０がバックル部１６のロック孔１８と略一致するように前記オフセット距離ＯＦが決定されている。
【００５４】
次に、図５を参照して、第３面４３の第２面４２に対するオフセット距離（前記オフセット距離ＯＦ）が満たすべき条件について具体的に説明する。図５は第１の挿通部３１、第２の挿通部３２、及びそれらによって保持されているバックル部１６の付近を拡大した断面図である。
【００５５】
図５（ａ）には、バンド部１７の先端が、第２の挿通部３２の挿通孔４０及びバックル部１６のロック孔１８に差し込まれる直前の様子が示されている。なお、この図５（ａ）で示すように、バックル部１６において前記第３面４３に当接する外面から前記ロック孔１８の縁までの距離をＢＢ、ロック孔１８に差し込まれる前記バンド部１７の先端の厚みをＢＡ、このバンド部１７の先端の厚み方向における前記挿通孔４０の幅をＳＨとする。
【００５６】
図５（ａ）の場合において、バンド部１７の先端が前記挿通孔４０及びロック孔１８に対し同時に挿通できるには、前記挿通孔４０の天井面と前記ロック孔１８の下縁部との間に生じる隙間Ｇ１が、バンド部１７の先端の厚み以上でなければならない（Ｇ１≧ＢＡ）。図５（ａ）に示される関係からＯＦ＋ＳＨ＝ＢＢ＋Ｇ１であるので、オフセット距離ＯＦは、ＯＦ≧ＢＢ＋ＢＡ−ＳＨの関係を満たす必要がある。
【００５７】
図５（ｂ）も同様に、バンド部１７の先端が、挿通孔４０及びロック孔１８に差し込まれる直前の様子が示されている。ただし、図５（ｂ）の構成では、オフセット距離ＯＦが図５（ａ）よりも大きく設定されている。この図５（ｂ）で示すように、バンド部１７の先端の厚み方向におけるロック孔１８の幅をＢＨとする。
【００５８】
図５（ｂ）の場合において、バンド部１７の先端が前記挿通孔４０及びロック孔１８に対し同時に挿通できるには、前記第２面４２と前記ロック孔１８の上縁部との間に生じる隙間Ｇ２が、バンド部１７の先端の厚み以上でなければならない（Ｇ２≧ＢＡ）。図５（ｂ）に示される関係からＯＦ＋Ｇ２＝ＢＨ＋ＢＢであるので、オフセット距離ＯＦは、ＯＦ≦ＢＢ＋ＢＨ−ＢＡの関係を満たす必要がある。
【００５９】
この点、本実施形態のワイヤハーネス外装部品５１では、ＢＢ＋ＢＡ−ＳＨ≦ＯＦ≦ＢＢ＋ＢＨ−ＢＡの関係を満たすようにオフセット距離ＯＦを設定している。従って、バックル部１６のロック孔１８が第２の挿通部３２の挿通孔４０と一致するようになり、バンド部１７を通すときの作業効率を向上させることができる。
【００６０】
以上に本発明の好適な実施形態を説明したが、以上の構成は例えば以下のように変更することができる。
【００６１】
Ｌ字部３４は、バンド結束部の近傍における外面側の形状が略Ｌ字形であれば良く、内面側の形状、及び、バンド結束部近傍以外の外面側の形状は特に限定されない。例えば、断面形状が略Ｆ字形のワイヤハーネス外装部品に対しても本発明の構成を適用することができる。
【００６２】
第４面４４は第１面４１と略面一とすることに代えて、第１面４１に対して若干オフセットしてもよい。ただし、第４面４４によってバックル部１６を適正な姿勢に保持する観点からは、第１面４１と略面一とすることが好ましい。
【００６３】
ワイヤハーネス外装部品５１に備えられるバンド結束部の数は、上記実施形態のように２つとすることに代えて、１つだけとしても良いし、３つ以上のバンド結束部を備える構成としても良い。
【００６４】
前記バンド結束部の構成は、図１のように曲がった経路に沿ってワイヤハーネス１４を規制するワイヤハーネス外装部品５１に限らず、例えば直線状の経路を有するワイヤハーネス外装部品に適用することができる。
【００６５】
ガイド壁７１は省略することができる。ただし、ガイド壁７１によって結束バンド１５の挿通作業を行いやすくし、またワイヤハーネス１４に対して斜めに巻かれてしまうことを防止するという観点からは、ガイド壁７１を備えることが好ましい。
【００６６】
また、ガイド壁７１は結束バンド１５の片側でも良く、両側にあっても良い。ただし、本実施形態のようにバンド結束部がワイヤハーネス外装部品５１の端部にあるときは、少なくとも当該端部側にガイド壁７１を備えることが好ましい。これにより、結束バンド１５がワイヤハーネス外装部品５１から外れて巻かれてしまうことを防ぐことができる。
【図面の簡単な説明】
【００６７】
【図１】本発明の一実施形態に係るワイヤハーネスの外装部品の全体を示す外観斜視図。
【図２】ワイヤハーネスの外装部品のバンド結束部を示す拡大斜視図。
【図３】バンド結束部に結束バンドを取り付け、ワイヤハーネスを固定した様子を示す斜視図。
【図４】図３におけるＡ−Ａ断面図。
【図５】第３面の第２面に対するオフセット距離の関係を示した断面図。
【図６】従来技術（比較例）に係るワイヤハーネスの外装部品のバンド結束部を示す外観斜視図。
【符号の説明】
【００６８】
１４  ワイヤハーネス
１５  結束バンド
１６  バックル部
１７  バンド部
３１  第１の挿通部
３２  第２の挿通部
３４  Ｌ字部
３９  第１の挿通部の挿通孔
４０  第２の挿通部の挿通孔
４１  第１面
４２  第２面
４３  第３面
４４  第４面
５０  係合突起
５１  ワイヤハーネスの外装部品
５２ａ，５２ｂ  バンド結束部
７１  ガイド壁
ＯＦ  オフセット距離
【図１】
2009131055.tif 000003
【図２】
2009131055.tif 000004
【図３】
2009131055.tif 000005
【図４】
2009131055.tif 000006
【図５】
2009131055.tif 000007
【図６】
2009131055.tif 000008